(57)【要約】【課題】ユーザの購買行動を促進するためのより高い動機を与えること。【解決手段】端末装置から、ユーザを識別するユーザＩＤを含む投稿情報送信要求を受け付ける投稿情報送信要求受付部と、前記ユーザＩＤに基づいて、前記ユーザＩＤのユーザと特定の関係を有する他のユーザによって投稿された商品またはサービスに関する投稿情報であって、位置情報と対応付けられた前記投稿情報を取得する投稿情報取得部と、前記投稿情報取得部によって取得された前記投稿情報と、当該投稿情報を投稿したユーザのユーザＩＤとを含む投稿情報提供データを生成し、前記端末装置に送信する投稿情報提供データ送信制御部と、を備える購買行動促進装置。【選択図】図６
2014142837.tif 000002
【特許請求の範囲】
【請求項１】
端末装置から、ユーザを識別するユーザＩＤを含む投稿情報送信要求を受け付ける投稿情報送信要求受付部と、
前記ユーザＩＤに基づいて、前記ユーザＩＤのユーザと特定の関係を有する他のユーザによって投稿された商品またはサービスに関する投稿情報であって、位置情報と対応付けられた前記投稿情報を取得する投稿情報取得部と、
前記投稿情報取得部によって取得された前記投稿情報と、当該投稿情報を投稿したユーザのユーザＩＤとを含む投稿情報提供データを生成し、前記端末装置に送信する投稿情報提供データ送信制御部と、
を備える購買行動促進装置。
【請求項２】
前記投稿情報送信要求受付部は、前記端末装置から、ユーザを識別するユーザＩＤと、位置を表す位置情報とを含む前記投稿情報送信要求を受け付け、
前記投稿情報取得部は、前記ユーザＩＤ及び前記位置情報に基づいて、前記ユーザＩＤのユーザと特定の関係を有する他のユーザによって投稿された商品またはサービスに関する前記投稿情報であって、前記位置情報が表す位置から設定された範囲に対応付けられている前記投稿情報を取得する請求項１に記載の購買行動促進装置。
【請求項３】
前記投稿情報送信要求受付部は、前記投稿情報送信要求として、ユーザを識別するユーザＩＤと、表示する地図の位置を表す位置情報とを含む地図表示要求を受け付け、
前記投稿情報提供データ送信制御部は、前記位置情報に基づいて取得した地図のデータに、前記投稿情報取得部によって取得された前記投稿情報と、当該投稿情報を投稿したユーザのユーザＩＤとがリンクされているリンク付き地図のデータを生成し、前記端末装置に送信する請求項２に記載の購買行動促進装置。
【請求項４】
前記リンク付き地図には、地図上に表示される前記投稿情報の存在を示す識別情報と、前記識別情報に対応する前記投稿情報の一覧とが含まれ、地図上の前記識別情報が選択されると、前記投稿情報の一覧において、選択された前記識別情報に対応する前記投稿情報が識別して表示される請求項３に記載の購買行動促進装置。
【請求項５】
前記投稿情報送信要求には、前記端末装置のユーザによって指定された指定ユーザのユーザＩＤが含まれ、
前記投稿情報取得部は、前記指定ユーザのユーザＩＤ及び前記位置情報に基づいて、前記指定ユーザと特定の関係を有する他のユーザによって投稿された商品またはサービスに関する投稿情報であって、前記位置情報が表す位置から設定された範囲に対応付けられている前記投稿情報を取得する請求項２から４のいずれか１項に記載の購買行動促進装置。
【請求項６】
前記端末装置から位置情報を受信する位置情報受信部と、
前記位置情報受信部によって受信された位置情報が、前記端末装置のユーザと特定の関係を有する店舗の位置から設定された範囲を示している場合に、前記端末装置に、前記店舗に関連するオンラインストアのＵＲＬを送信するＵＲＬ送信部と、
を備える請求項１から５のいずれか１項に記載の購買行動促進装置。
【請求項７】
前記端末装置のユーザと特定の関係を有する店舗において前記ユーザが商品またはサービスを購入する旨の情報を受信する購入情報受信部と、
前記商品またはサービスを購入するユーザの前記端末装置に、決済のためのページデータを送信するページデータ送信部と、
前記端末装置からユーザによって必要情報が書き込まれた前記ページデータを受信するページデータ受信部と、
前記ページデータ受信部によって受信された前記ページデータに基づいて、決済のための処理を実行する決済実行部と、
を備える請求項１から６のいずれか１項に記載の購買行動促進装置。
【請求項８】
前記投稿情報送信要求受付部は、前記投稿情報送信要求として、ユーザを識別するユーザＩＤと、前記端末装置の現在位置を表す位置情報とを含む前記投稿情報送信要求を受け付け、
前記投稿情報提供データ送信制御部は、前記投稿情報取得部によって取得された前記投稿情報と、当該投稿情報を投稿したユーザのユーザＩＤとを前記端末装置に送信する請求項２に記載の購買行動促進装置。
【請求項９】
前記端末装置から位置情報を受信する位置情報受信部と、
前記位置情報受信部によって受信された位置情報が、前記端末装置のユーザと特定の関係を有する店舗の位置から設定された範囲を示している場合に、前記端末装置に、前記店舗に関連するウェブサイトのＵＲＬ及びマーケティングのための情報を送信するＵＲＬ送信部と、
を備える請求項１から５のいずれか１項に記載の購買行動促進装置。
【請求項１０】
前記端末装置から、選択された前記投稿情報に対応する前記位置情報を受信することに対応して、当該投稿情報の位置情報に対応する店舗に関連するＵＲＬを送信するＵＲＬ送信部を備える請求項１に記載の購買行動促進装置。
【請求項１１】
コンピュータに、
端末装置から、ユーザを識別するユーザＩＤを含む投稿情報送信要求を受け付ける投稿情報送信要求受付機能と、
前記ユーザＩＤに基づいて、前記ユーザＩＤのユーザと特定の関係を有する他のユーザによって投稿された商品またはサービスに関する投稿情報であって、位置情報と対応付けられた前記投稿情報を取得する投稿情報取得機能と、
前記投稿情報取得機能によって取得された前記投稿情報と、当該投稿情報を投稿したユーザのユーザＩＤとを含む投稿情報提供データを生成し、前記端末装置に送信する投稿情報提供データ送信制御機能と、
を実現させるプログラム。
【発明の詳細な説明】
【技術分野】
【０００１】
本発明は、ユーザの購買行動を促進可能な購買行動促進装置及びプログラムに関する。
【背景技術】
【０００２】
従来より、ユーザの購買行動を促進するための技術として、ＳＮＳ（Ｓｏｃｉａｌ  Ｎｅｔｗｏｒｋｉｎｇ  Ｓｅｒｖｉｃｅ）において特定の関係（例えば「友人」の属性を有する関係等）にある他者が訪問した店舗や購入した商品が紹介される技術が知られている。
このような技術においては、ユーザ自らと特定の関係にある他者が購入した商品等が紹介されるため、紹介された商品等は、ユーザにとって比較的興味を抱き易いものとなる。
このような技術は、例えば特許文献１に記載されている。
【先行技術文献】
【特許文献】
【０００３】
【特許文献１】特開２００８−２４３００８号公報
【発明の概要】
【発明が解決しようとする課題】
【０００４】
しかしながら、ユーザの購買行動を促進するための従来の技術においては、ＳＮＳ上で商品や店舗が紹介されるものの、紹介された商品や店舗に関する情報を見ているユーザの状況は、その商品や店舗に必ずしも興味を抱く状況であるとは限らなかった。例えば、ＳＮＳ上で紹介されたリゾート地の店舗の情報を通勤電車内で閲覧した場合、紹介された情報によってユーザが購買行動を起こす可能性は低いと考えられる。
このように、従来の技術においては、ユーザの購買行動を促進するための高い動機を与えることが困難であった。
【０００５】
本発明は、このような状況に鑑みてなされたものであり、ユーザの購買行動を促進するためのより高い動機を与えることである。
【課題を解決するための手段】
【０００６】
上記目的を達成するため、本発明の一態様の購買行動促進装置は、端末装置から、ユーザを識別するユーザＩＤを含む投稿情報送信要求を受け付ける投稿情報送信要求受付部と、前記ユーザＩＤに基づいて、前記ユーザＩＤのユーザと特定の関係を有する他のユーザによって投稿された商品またはサービスに関する投稿情報であって、位置情報と対応付けられた前記投稿情報を取得する投稿情報取得部と、前記投稿情報取得部によって取得された前記投稿情報と、当該投稿情報を投稿したユーザのユーザＩＤとを含む投稿情報提供データを生成し、前記端末装置に送信する投稿情報提供データ送信制御部と、を備える。
【発明の効果】
【０００７】
本発明によれば、ユーザの購買行動を促進するためのより高い動機を与えることが可能となる。
【図面の簡単な説明】
【０００８】
【図１】本発明の第１実施形態に係る購買行動促進システムの全体構成を示す図である。
【図２】本発明の一実施形態に係る携帯端末装置のハードウェアの構成を示すブロック図である。
【図３】図２の携帯端末装置の機能的構成のうち、情報投稿処理及び投稿情報表示処理を実行するための機能的構成を示す機能ブロック図である。
【図４】リンク付き地図表示画面の一例を示す模式図である。
【図５】本発明の一実施形態に係る購買行動促進装置のハードウェアの構成を示すブロック図である。
【図６】図５の購買行動促進装置の機能的構成のうち、投稿情報受付処理及び投稿情報送信処理を実行するための機能的構成を示す機能ブロック図である。
【図７】投稿情報データベースのデータ構造を示す図である。
【図８】ユーザ関係情報データベースのデータ構造を示す図である。
【図９】図３の機能的構成を有する図２の携帯端末装置が実行する情報投稿処理の流れを説明するフローチャートである。
【図１０】図３の機能的構成の携帯端末装置が実行する投稿情報表示処理の流れを説明するフローチャートである。
【図１１】図６の機能的構成の購買行動促進装置が実行する投稿情報受付処理の流れを説明するフローチャートである。
【図１２】図６の機能的構成の購買行動促進装置が実行する投稿情報送信処理の流れを説明するフローチャートである。
【発明を実施するための形態】
【０００９】
以下、本発明の実施形態について、図面を用いて説明する。
【００１０】
（第１実施形態）
（構成）
図１は、本発明の第１実施形態に係る購買行動促進システム１の全体構成を示す図である。
図１において、購買行動促進システム１は、複数の携帯端末装置１０と、購買行動促進装置１００とを含んで構成され、これらがインターネット等からなるネットワーク２００を介して通信可能に構成されている。
【００１１】
本実施形態における携帯端末装置１０は、スマートフォン、ＰＤＡ（ＰｅｒｓｏｎａｌＤｉｇｉｔａｌ  Ａｓｓｉｓｎｔａｎｔ）、携帯電話機、ノート型ＰＣ等、持ち運びが可能な情報処理装置によって構成することができる。
また、購買行動促進装置１００は、サーバあるいはＰＣによって構成することができる。
図２は、本発明の一実施形態に係る携帯端末装置１０のハードウェアの構成を示すブロック図である。
【００１２】
携帯端末装置１０は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、位置センサ１６と、撮像部１７と、入力部１８と、出力部１９と、記憶部２０と、通信部２１と、ドライブ２２と、を備えている。
【００１３】
ＣＰＵ１１は、ＲＯＭ１２に記録されているプログラム、または、記憶部２０からＲＡＭ１３にロードされたプログラムに従って各種の処理を実行する。
【００１４】
ＲＡＭ１３には、ＣＰＵ１１が各種の処理を実行する上において必要なデータ等が適宜記憶される。
【００１５】
ＣＰＵ１１、ＲＯＭ１２及びＲＡＭ１３は、バス１４を介して相互に接続されている。このバス１４にはまた、入出力インターフェース１５も接続されている。入出力インターフェース１５には、位置センサ１６、撮像部１７、入力部１８、出力部１９、記憶部２０、通信部２１及びドライブ２２が接続されている。
【００１６】
位置センサ１６は、ＧＰＳ（Ｇｌｏｂａｌ  Ｐｏｓｉｔｉｏｎｉｎｇ  Ｓｙｓｔｅｍ）センサを備え、携帯端末装置１０の現在位置を取得する。そして、位置センサ１６は、測定した携帯端末装置１０の現在位置を示す位置情報をＣＰＵ１１に出力する。位置センサ１６によって位置を取得する機能として、ＧＰＳを利用するものの他、携帯電話システムの基地局から受信する電波の強度を利用するもの等を利用することも可能である。
【００１７】
撮像部１７は、図示はしないが、光学レンズ部と、イメージセンサと、を備えている。
光学レンズ部は、被写体を撮影するために、光を集光するレンズ、例えばフォーカスレンズやズームレンズ等で構成される。
【００１８】
フォーカスレンズは、イメージセンサの受光面に被写体像を結像させるレンズである。ズームレンズは、焦点距離を一定の範囲で自在に変化させるレンズである。
【００１９】
光学レンズ部にはまた、必要に応じて、焦点、露出、ホワイトバランス等の設定パラメータを調整する周辺回路が設けられる。
【００２０】
イメージセンサは、光電変換素子や、ＡＦＥ（Ａｎａｌｏｇ  Ｆｒｏｎｔ  Ｅｎｄ）等から構成される。
【００２１】
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
【００２２】
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、デジタル信号が生成され、撮像部１７の出力信号として出力される。
【００２３】
このような撮像部１７の出力信号を、以下、「撮像画像のデータ」と呼ぶ。撮像画像のデータは、ＣＰＵ１１等に適宜供給される。なお、本実施形態において、撮像画像のデータとして、静止画像のデータ及び動画像のデータのいずれかが撮像部１７によって出力される。
【００２４】
入力部１８は、各種ボタン及び出力部１９を構成するディスプレイに重ねて配置されたタッチパネル等で構成され、ユーザの指示操作に応じて各種情報を入力する。
【００２５】
出力部１９は、ディスプレイやスピーカ等で構成され、画像や音声を出力する。
【００２６】
記憶部２０は、ハードディスクあるいはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２１は、ネットワーク２００を介して他の装置との間で行う通信を制御する。
【００２７】
ドライブ２２には、磁気ディスク、光ディスク、光磁気ディスク、あるいは半導体メモリ等よりなる、リムーバブルメディア３１が適宜装着される。ドライブ２２によってリムーバブルメディア３１から読み出されたプログラムは、必要に応じて記憶部２０にインストールされる。また、リムーバブルメディア３１は、記憶部２０に記憶されている画像のデータ等の各種データも、記憶部２０と同様に記憶することができる。
【００２８】
図３は、図２の携帯端末装置１０の機能的構成のうち、情報投稿処理及び投稿情報表示処理を実行するための機能的構成を示す機能ブロック図である。
【００２９】
情報投稿処理とは、携帯端末装置１０のユーザが投稿を希望する商品や店舗の情報を購買行動促進装置１００に投稿する一連の処理である。
また、投稿情報表示処理とは、携帯端末装置１０のユーザが地図を表示した場合に、表示された地図と対応付けて、ユーザと特定の関係にある他のユーザが投稿した情報を表示する一連の処理である。
【００３０】
情報投稿処理及び投稿情報表示処理が実行される場合には、図３に示すように、ＣＰＵ１１において、投稿情報取得部５１と、投稿情報送信制御部５２と、投稿情報送信要求部５３と、投稿情報受信制御部５４と、地図表示制御部５５とが機能する。
ただし、図３は例示であり、例えば画像処理のためのハードウェアとしてＧＡ（Ｇｒａｐｈｉｃ  Ａｃｃｅｌｅｒａｔｏｒ）を備え、ＣＰＵ１１の機能の少なくとも一部をＧＡに委譲してもよい。
【００３１】
上記処理が実行される場合、記憶部２０の一領域として設けられた取得画像記憶部９１が用いられる。
取得画像記憶部９１においては、撮像部１７により取得された撮像画像のデータ（静止画像あるいは動画像のデータ）が記憶されている。
【００３２】
投稿情報取得部５１は、ユーザによって指示入力された投稿対象とする商品あるいはサービスに関する情報（以下、「投稿情報」と称する。）を取得する。具体的には、投稿情報取得部５１は、ユーザの指示入力に応じて、取得画像記憶部９１に記憶されている撮像画像のデータや記憶部２０に記憶されている各種画像のデータや、入力部１８を介して入力された店舗のＵＲＬ（Ｕｎｉｆｏｒｍ
Ｒｅｓｏｕｒｃｅ Ｌｏｃａｔｏｒ）等を投稿情報として取得し、ネットワーク２００を介して、購買行動促進装置１００に送信する。
【００３３】
投稿情報送信制御部５２は、投稿情報取得部５１によって取得された投稿情報に、携帯端末装置１０のユーザが保有するユーザＩＤ及び位置センサ１６によって取得された携帯端末装置１０の現在位置を付加して、購買行動促進装置１００に送信する。
【００３４】
投稿情報送信要求部５３は、ユーザによって地図の表示が指示入力された場合に、投稿情報の送信要求（地図データの送信要求と位置情報及びユーザＩＤとを含む情報）を購買行動促進装置１００に送信する。このとき、投稿情報送信要求部５３は、ユーザによって、表示する地図の位置を指定する情報（以下、「位置指定情報」と称する。）が入力されていない場合、地図データの送信要求とともに、ユーザＩＤ及び位置情報としての携帯端末装置１０の現在位置を購買行動促進装置１００に送信する。また、ユーザによって位置指定情報が入力されている場合、投稿情報送信要求部５３は、地図データの送信要求とともに、ユーザＩＤ及び位置情報としての位置指定情報を購買行動促進装置１００に送信する。
【００３５】
投稿情報受信制御部５４は、購買行動促進装置１００から後述するリンク付き地図データ（投稿情報提供データ）を受信すると、リンク付き地図データに含まれている地図データと、リンク情報と、リンク先のコンテンツ（画像あるいは動画像のデータ等）と、コンテンツの投稿者である他のユーザのユーザＩＤとをそれぞれ抽出し、抽出した情報を地図表示制御部５５に出力する。
【００３６】
地図表示制御部５５は、投稿情報受信制御部５４から入力されたリンク付き地図データの地図データ、リンク情報、リンク先のコンテンツ、コンテンツの投稿者のユーザＩＤを基に、リンク情報の存在が識別表示された地図と、リンク先のコンテンツの一覧とを含む表示画面（以下、「リンク付き地図表示画面」と称する。）のデータを生成する。そして、地図表示制御部５５は、生成したリンク付き地図表示画面のデータを出力部１９に出力し、リンク情報の存在が識別表示された地図と、リンク先のコンテンツの一覧とを出力部１９に表示させる。
【００３７】
図４は、リンク付き地図表示画面の一例を示す模式図である。
図４に示すように、リンク付き地図表示画面には、ユーザの現在位置周辺の地図と、その地図内の位置と対応付けられているリンクの存在を示すピン（識別情報）Ｐと、それぞれのピンのリンク先となっている商品あるいは店舗に関するコンテンツ（画像や動画像等）Ｃを示す一覧表示Ｌとが含まれている。
図４に示すリンク付き地図表示画面において、ユーザがいずれかのピンＰにタッチすると、そのピンＰとリンクされているコンテンツＣが拡大表示される。
【００３８】
そのため、本実施形態の購買行動促進システム１では、「友人」として登録されている等、ユーザと特定の関係にある他者によってユーザの現在位置周辺に関連して投稿された情報が、ユーザが街中等を散策しているときに、リンク付き地図表示画面に表示される。そのため、ユーザ自身のすぐ近くに位置している商品や店舗に関する情報が表示されることから、ユーザは、その情報に、より興味を抱くこととなる。
したがって、ユーザにとっては、表示された商品や店舗を実際に見ようとする動機が高いものとなる。
即ち、本実施形態の購買行動促進システム１では、ユーザの購買行動を促進するためのより高い動機を与えることが可能となる。
【００３９】
図５は、本発明の一実施形態に係る購買行動促進装置１００のハードウェアの構成を示すブロック図である。
【００４０】
購買行動促進装置１００は、ＣＰＵ（Ｃｅｎｔｒａｌ  Ｐｒｏｃｅｓｓｉｎｇ  Ｕｎｉｔ）１１１と、ＲＯＭ（Ｒｅａｄ  Ｏｎｌｙ  Ｍｅｍｏｒｙ）１１２と、ＲＡＭ（Ｒａｎｄｏｍ  Ａｃｃｅｓｓ  Ｍｅｍｏｒｙ）１１３と、バス１１４と、入出力インターフェース１１５と、入力部１１６と、出力部１１７と、記憶部１１８と、通信部１１９と、ドライブ１２０と、を備えている。
【００４１】
ＣＰＵ１１１は、ＲＯＭ１１２に記録されているプログラム、または、記憶部１１８からＲＡＭ１１３にロードされたプログラムに従って各種の処理を実行する。
【００４２】
ＲＡＭ１１３には、ＣＰＵ１１１が各種の処理を実行する上において必要なデータ等が適宜記憶される。
【００４３】
ＣＰＵ１１１、ＲＯＭ１１２及びＲＡＭ１１３は、バス１１４を介して相互に接続されている。このバス１１４にはまた、入出力インターフェース１１５も接続されている。入出力インターフェース１１５には、入力部１１６、出力部１１７、記憶部１１８、通信部１１９及びドライブ１２０が接続されている。
【００４４】
入力部１１６は、各種ボタン及び出力部１１７を構成するディスプレイに重ねて配置されたタッチパネル等で構成され、ユーザの指示操作に応じて各種情報を入力する。
【００４５】
出力部１１７は、ディスプレイやスピーカ等で構成され、画像や音声を出力する。
【００４６】
記憶部１１８は、ハードディスクあるいはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
【００４７】
通信部１１９は、ネットワーク２００を介して他の装置との間で行う通信を制御する。
【００４８】
ドライブ１２０には、磁気ディスク、光ディスク、光磁気ディスク、あるいは半導体メモリ等よりなる、リムーバブルメディア３１が適宜装着される。ドライブ１２０によってリムーバブルメディア１３１から読み出されたプログラムは、必要に応じて記憶部１１８にインストールされる。また、リムーバブルメディア１３１は、記憶部１１８に記憶されている画像のデータ等の各種データも、記憶部１１８と同様に記憶することができる。
【００４９】
図６は、図５の購買行動促進装置１００の機能的構成のうち、投稿情報受付処理及び投稿情報送信処理を実行するための機能的構成を示す機能ブロック図である。
【００５０】
投稿情報受付処理とは、携帯端末装置１０のユーザが投稿を希望する商品や店舗の情報が投稿された場合に、投稿された情報を投稿情報データベースに登録する一連の処理である。
また、投稿情報送信処理とは、携帯端末装置１０からの投稿情報の送信要求に対応して、リンク付き地図データを送信する一連の処理である。
【００５１】
投稿情報受付処理及び投稿情報送信処理が実行される場合には、図６に示すように、ＣＰＵ１１１において、投稿情報受付部１５１と、投稿情報送信要求受付部１５２と、投稿情報取得部１５３と、投稿情報提供データ送信制御部１５４とが機能する。
上記処理が実行される場合、記憶部１１８の一領域として設けられた投稿情報データベース１９１、ユーザ関係情報データベース１９２及び地図情報データベース１９３とが用いられる。
【００５２】
投稿情報データベース１９１においては、投稿情報受付部１５１によって受け付けられた投稿情報のデータが記憶されている。
図７は、投稿情報データベース１９１のデータ構造を示す図である。
図７に示すように、投稿情報データベース１９１には、投稿情報を投稿したユーザのユーザＩＤと、投稿情報に対応する位置情報と、投稿情報のコンテンツ（画像あるいは動画像等）のデータとが対応付けて記憶されている。
例えば、投稿情報データベース１９１の第１行には、投稿情報のコンテンツ「Ｃ００１」について、コンテンツ「Ｃ００１」を投稿したユーザのユーザＩＤ「Ｕ００１」と、位置情報「Ｐ００１」とが対応付けて記憶されている。
なお、投稿情報のコンテンツとともに店舗のＵＲＬが投稿されている場合、図７に示す投稿情報データベース１９１のデータ構造に店舗のＵＲＬが付加される。
【００５３】
ユーザ関係情報データベース１９２においては、購買行動促進システム１に登録されたユーザ同士の関係（以下、「ユーザ関係」と称する。）が記憶されている。本実施形態において、購買行動促進システム１は、ＳＮＳの機能を有しており、登録した会員であるユーザの属性（ユーザＩＤ、氏名、メールアドレス等）と、ユーザ同士の関係（「友人」、「家族」等）とが管理されている。なお、ＳＮＳの機能は、購買行動促進システム１が有することの他、購買行動促進システム１が他のＳＮＳと連携して実現することとしてもよい。
【００５４】
図８は、ユーザ関係情報データベース１９２のデータ構造を示す図である。
図８に示すように、ユーザ関係情報データベース１９２には、各ユーザと、そのユーザと種々のユーザ関係が設定されている他のユーザとが対応付けて記憶されている。
例えば、ユーザ関係情報データベース１９２の第１行には、ユーザＩＤ「Ｕ００１」と、ユーザＩＤ「Ｕ００１」のユーザと種々の関係（「友人」あるいは「家族」として設定されている関係等）を有する他のユーザのユーザＩＤ「Ｕ００２」，「Ｕ００３」とが対応付けて記憶されている。
地図情報データベース１９３には、予め生成された地図に関する情報（地図データ）が記憶されている。
【００５５】
投稿情報受付部１５１は、携帯端末装置１０から投稿情報を受信すると、投稿情報から画像や動画像のデータあるいは店舗のＵＲＬ、ユーザＩＤ及び位置情報を抽出する。そして、投稿情報受付部１５１は、抽出した画像や動画像のデータあるいは店舗のＵＲＬと、ユーザＩＤと、位置情報とを対応付けて、投稿情報データベース１９１に記憶する。
【００５６】
投稿情報送信要求受付部１５２は、携帯端末装置１０から投稿情報の送信要求を受信すると、投稿情報の送信要求に含まれているユーザＩＤ及び位置情報を抽出する。そして、投稿情報送信要求受付部１５２は、抽出したユーザＩＤ及び位置情報を投稿情報取得部１５３に出力する。
【００５７】
投稿情報取得部１５３は、ユーザ関係情報取得部１５３ａと、投稿情報抽出部１５３ｂとを備えている。
ユーザ関係情報取得部１５３ａは、投稿情報送信要求受付部１５２からユーザＩＤ及び位置情報が入力されると、ユーザ関係情報データベース１９２を参照し、入力されたユーザＩＤのユーザと特定の関係を有する他のユーザを検出する。
【００５８】
投稿情報抽出部１５３ｂは、投稿情報データベース１９１を参照し、ユーザ関係情報取得部１５３ａによって検出された他のユーザが投稿した投稿情報において、地図データの送信要求に含まれている位置情報の周辺（例えば地図として表示される範囲内）の位置情報と対応付けられた投稿情報を抽出する。
投稿情報取得部１５３は、投稿情報抽出部１５３ｂによって抽出された投稿情報を、対応付けられているユーザＩＤ及び位置情報とともに、投稿情報提供データ送信制御部１５４に出力する。また、投稿情報取得部１５３は、地図データの送信要求に含まれている位置情報を投稿情報提供データ送信制御部１５４に出力する。
【００５９】
投稿情報提供データ送信制御部１５４は、投稿情報取得部１５３から地図データの送信要求に含まれている位置情報が入力されると、地図情報データベース１９３を参照し、その位置情報周辺の地図データを取得する。
また、投稿情報提供データ送信制御部１５４は、取得した地図データに、投稿情報取得部１５３から入力された投稿情報へのリンク情報を付加し、その投稿情報、ユーザＩＤ及び位置情報とともに、リンク付き地図データ（投稿情報提供データ）として携帯端末装置１０に送信する。
【００６０】
（動作）
次に、購買行動促進システム１の動作を説明する。
まず、図９を参照して、図３の機能的構成の携帯端末装置１０が実行する処理のうち、情報投稿処理について説明する。
【００６１】
図９は、図３の機能的構成を有する図２の携帯端末装置１０が実行する情報投稿処理の流れを説明するフローチャートである。
情報投稿処理は、本実施形態では、ユーザが情報投稿処理の実行を指示入力することに対応して開始される。
【００６２】
ステップＳ１１において、投稿情報取得部５１は、ユーザによって支持入力される投稿情報を取得する。このとき取得される投稿情報は、取得画像記憶部９１に記憶されている撮像画像のデータや記憶部２０に記憶されている各種画像のデータや、入力部１８を介して入力された店舗のＵＲＬ等である。
ステップＳ１２において、投稿情報送信制御部５２は、位置情報（携帯端末装置１０の現在位置または位置指定情報）を取得する。
【００６３】
ステップＳ１３において、投稿情報送信制御部５２は、携帯端末装置１０のユーザが保有するユーザＩＤを取得する。
ステップＳ１４において、投稿情報送信制御部５２は、ユーザＩＤ及び位置情報とともに、投稿情報を購買行動促進装置１００に送信する。
このようなステップＳ１４の処理が終了すると、情報投稿処理は終了となる。
【００６４】
次に、図１０を参照して、図３の機能的構成の携帯端末装置１０が実行する処理のうち、投稿情報表示処理について説明する。
図１０は、図３の機能的構成の携帯端末装置１０が実行する投稿情報表示処理の流れを説明するフローチャートである。
投稿情報表示処理は、本実施形態では、ユーザが投稿情報表示処理の実行を指示入力することに対応して開始される。
【００６５】
ステップＳ２１において、投稿情報送信要求部５３は、投稿情報の送信要求を購買行動促進装置１００に送信する。このとき、投稿情報送信要求部５３は、携帯端末装置１０の現在位置またはユーザによって入力された位置指定情報（位置情報）と、携帯端末装置１０のユーザが保有するユーザＩＤとを地図データの送信要求とともに、投稿情報の送信要求として購買行動促進装置１００に送信する。
ステップＳ２２において、投稿情報受信制御部５４は、購買行動促進装置１００からリンク付き地図データ（投稿情報提供データ）を受信する。
【００６６】
ステップＳ２３において、投稿情報受信制御部５４は、リンク付き地図データから、地図データ、リンク情報、リンク先のコンテンツ及び投稿者のユーザＩＤを抽出する。
ステップＳ２４において、地図表示制御部５５は、リンク付き地図データの地図データ、リンク情報、リンク先のコンテンツ、コンテンツの投稿者のユーザＩＤを基に、リンク付き地図表示画面を表示する。
このようなステップＳ２４の処理が終了すると、投稿情報表示処理は終了となる。
【００６７】
次に、図１１を参照して、図６の機能的構成の購買行動促進装置１００が実行する処理のうち、投稿情報受付処理について説明する。
図１１は、図６の機能的構成の購買行動促進装置１００が実行する投稿情報受付処理の流れを説明するフローチャートである。
投稿情報受付処理は、本実施形態では、購買行動促進装置１００が起動された後、所定の時間間隔毎に実行される。
【００６８】
ステップＳ１１１において、投稿情報受付部１５１は、携帯端末装置１０から投稿情報を受信する。
ステップＳ１１２において、投稿情報受付部１５１は、受信した投稿情報から画像や動画像のデータあるいは店舗のＵＲＬ、ユーザＩＤ及び位置情報を抽出する。
【００６９】
ステップＳ１１３において、投稿情報受付部１５１は、抽出した画像や動画像のデータあるいは店舗のＵＲＬと、ユーザＩＤと、位置情報とを対応付けて、投稿情報データベース１９１に記憶する（図７参照）。
このようなステップＳ１１３の処理が終了すると、投稿情報受付処理は終了となる。
【００７０】
次に、図１２を参照して、図６の機能的構成の購買行動促進装置１００が実行する処理のうち、投稿情報送信処理について説明する。
図１２は、図６の機能的構成の購買行動促進装置１００が実行する投稿情報送信処理の流れを説明するフローチャートである。
投稿情報送信処理は、本実施形態では、購買行動促進装置１００が起動された後、所定の時間間隔毎に実行される。
ステップＳ１２１において、投稿情報送信要求受付部１５２は、携帯端末装置１０から投稿情報の送信要求を受信する。
【００７１】
ステップＳ１２２において、投稿情報取得部１５３のユーザ関係情報取得部１５３ａは、投稿情報送信要求受付部１５２によって受信されたユーザＩＤ及び位置情報を基に、ユーザ関係情報データベース１９２を参照して、そのユーザＩＤのユーザと特定の関係を有する他のユーザを検出する。
ステップＳ１２３において、投稿情報取得部１５３の投稿情報抽出部１５３ｂは、投稿情報データベース１９１を参照し、ユーザ関係情報取得部１５３ａによって検出された他のユーザが投稿した投稿情報において、投稿情報の送信要求に含まれている位置情報の周辺の位置情報と対応付けられた投稿情報を抽出する。
【００７２】
ステップＳ１２４において、投稿情報提供データ送信制御部１５４は、投稿情報の送信要求に含まれている位置情報を基に、地図情報データベース１９３を参照して地図データを取得し、リンク付き地図データを生成して携帯端末装置１０に送信する。
このようなステップＳ１２４の処理が終了すると、投稿情報送信処理は終了となる。
【００７３】
以上説明したように、本実施形態の購買行動促進システム１では、複数の携帯端末装置１０と購買行動促進装置１００とがネットワーク２００を介して接続されている。そして、購買行動促進装置１００は、投稿情報送信要求受付部１５２と、投稿情報取得部１５３と、投稿情報提供データ送信制御部１５４とを備えている。
投稿情報送信要求受付部１５２は、携帯端末装置から、ユーザを識別するユーザＩＤと、位置を表す位置情報とを含む投稿情報送信要求を受け付ける。
【００７４】
投稿情報取得部１５３は、ユーザＩＤ及び位置情報に基づいて、ユーザＩＤのユーザと特定の関係を有する他のユーザによって投稿された商品またはサービスに関する投稿情報であって、位置情報が表す位置から設定された範囲に対応付けられている投稿情報を取得する。
投稿情報提供データ送信制御部１５４は、投稿情報取得部１５３によって取得された投稿情報と、当該投稿情報を投稿したユーザのユーザＩＤとを含む投稿情報提供データを生成し、携帯端末装置に送信する。
携帯端末装置は、受信した投稿情報提供データを基に、周辺における投稿情報を地図上に表示したり、音や振動で報知したりして、ユーザに提供する。
【００７５】
このとき提供される投稿情報は、ユーザと特定の関係を有する他のユーザによって提供されたものである。
また、ユーザ自身のすぐ近くに位置している商品や店舗に関する情報が提示される。
したがって、ユーザは、提示された投稿情報に、より興味を抱くこととなるため、ユーザの購買行動を促進するためのより高い動機を与えることが可能となる。
【００７６】
また、投稿情報送信要求受付部１５２は、投稿情報送信要求として、ユーザを識別するユーザＩＤと、表示する地図の位置を表す位置情報とを含む地図表示要求を受け付け、
投稿情報提供データ送信制御部は、位置情報に基づいて取得した地図のデータに、投稿情報取得部によって取得された投稿情報と、当該投稿情報を投稿したユーザのユーザＩＤとがリンクされているリンク付き地図のデータを生成し、携帯端末装置に送信する。
そのため、地図上にリンクさせた形態でユーザに投稿情報を提示することができる。
したがって、ユーザの購買行動を促進するためのより高い動機を与えることが可能となる。
【００７７】
リンク付き地図には、地図上に表示される投稿情報の存在を示す識別情報と、識別情報に対応する投稿情報の一覧とが含まれ、地図上の識別情報が選択されると、投稿情報の一覧において、選択された識別情報に対応する投稿情報が識別して表示される。
したがって、ユーザにとって識別し易い形態で、投稿情報を提示することができる。
【００７８】
なお、本発明は、上述の実施形態に限定されるものではなく、本発明の目的を達成できる範囲での変形、改良等は本発明に含まれるものである。
【００７９】
（変形例１）
上記実施形態では、携帯端末装置１０のユーザのユーザＩＤを投稿情報送信要求に含めて送信することとして説明したが、携帯端末装置のユーザのユーザＩＤでなく、他のユーザ（ガールフレンド、妻、友人等）のユーザＩＤを指定し、そのユーザＩＤを投稿情報送信要求に含めることとしてもよい。
即ち、地図表示要求には、携帯端末装置のユーザによって指定された指定ユーザのユーザＩＤが含まれ、
投稿情報取得部は、指定ユーザのユーザＩＤ及び位置情報に基づいて、指定ユーザと特定の関係を有する他のユーザによって投稿された商品またはサービスに関する投稿情報であって、位置情報が表す位置から設定された範囲に対応付けられている投稿情報を取得することとしてもよい。
この場合、ユーザが指定した他のユーザにとって興味を抱き易い投稿情報を提示することができるため、ユーザが他のユーザにプレゼントを購入する場合等に、有用な投稿情報を提示できる。
【００８０】
（変形例２）
上記実施形態において、さらに、実際の店舗あるいはその周辺を訪問したユーザをその店舗に関連するオンラインストアに誘導することも可能である。
具体的には、商品またはサービスを提供する店舗が所有する携帯端末装置１０から、店舗の画像や動画像等に関連付けて、その店舗と関連するオンラインストアのＵＲＬを購買行動促進装置１００に送信し、購買行動促進装置１００は、そのＵＲＬを店舗の位置情報と対応付けて記憶しておく。
そして、購買行動促進装置１００は、位置情報受信部によって受信される位置情報から、その店舗と特定の関係を有する一般のユーザの携帯端末装置１０がその店舗の周辺（例えば半径３０ｍ以内）または店舗内に位置していることが検出された場合に、ＵＲＬ送信部によって、その店舗に関連するオンラインストアのＵＲＬを携帯端末装置１０に送信する。
これにより、実際の店舗あるいはその周辺を訪問したユーザを、その店舗に関連するオンラインストアに誘導することができ、実際の店舗で商品等を購入するユーザ以外にまで、購買行動の可能性を拡大することができる。また、ユーザは、実際の店舗で見た商品等を自宅で受け取ること等が可能となる。
【００８１】
（変形例３）
上記実施形態において、さらに、実際の店舗あるいはその周辺を訪問したユーザをその店舗に関連するウェブサイト（例えば、その店舗のブランドが設置している公式ウェブサイト等）に誘導することも可能である。
具体的には、商品またはサービスを提供する店舗が所有する携帯端末装置１０から、店舗の画像や動画像等に関連付けて、その店舗に関連するウェブサイトのＵＲＬを購買行動促進装置１００に送信し、購買行動促進装置１００は、そのＵＲＬを店舗の位置情報と対応付けて記憶しておく。
そして、購買行動促進装置１００は、位置情報受信部によって受信される位置情報から、その店舗と特定の関係を有する一般のユーザの携帯端末装置１０がその店舗の周辺（例えば半径３０ｍ以内）または店舗内に位置していることが検出された場合に、ＵＲＬ送信部によって、その店舗に関連するウェブサイトのＵＲＬを携帯端末装置１０に送信する。また、このとき、購買行動促進装置１００は、ＵＲＬ送信部によって、ディスカウント情報やキャンペーン情報等のマーケティングのための情報（以下、「マーケティング情報」と称する。）をウェブサイトのＵＲＬとともに送信する。
これにより、マーケティング情報を受信したユーザの購買意欲を惹起することができる。また、実際の店舗あるいはその周辺を訪問したユーザを、その店舗に関連するウェブサイトに誘導することができ、実際の店舗で商品等を購入するユーザ以外にまで、購買行動の可能性を拡大することができる。
【００８２】
（変形例４）
上記実施形態において、さらに、クレジットカードの加盟店となっていない店舗で、クレジットカードによる決済サービスを提供することができる。
具体的には、商品またはサービスを提供する店舗と特定の関係を有する一般のユーザがその店舗を訪問し、商品等を購入する場合に、購買行動促進装置１００の購入情報受信部によってユーザが商品等を購入する旨の情報を受信する。そして、購買行動促進装置１００は、ページデータ送信部によって、商品等を購入するユーザの携帯端末装置１０にクレジットカード決済のための入力ページのデータを送信する。
商品等を購入するユーザは、この入力ページに必要な情報を書き込み、購買行動促進装置１００に返信し、購買行動促進装置１００のページデータ受信部がそれを受信する。そして、購買行動促進装置１００は、決済実行部によって、クレジットカード会社による決済を行い、料金の支払いが完了する。
これにより、ユーザは、実際の店舗で販売されている商品等をクレジットカードを利用して購入し、持ち帰ることが可能となる。また、商品等を販売する店舗は、クレジットカードの加盟店になっていない場合でも、購買行動促進装置１００の仲介によってクレジットカード決済を行えるため、クレジットカードが利用できないことによって商品販売の機会を逸する事態を防止できる。
また、本変形例において、クレジットカード決済のための入力ページのデータ以外、例えば、銀行振り込みや代引き等の他の決済方法のための入力ページのデータを購買行動促進装置１００のページデータ送信部から携帯端末装置１０に送信することとしてもよい。
この場合にも、商品等を購入するユーザは、この入力ページに必要な情報を書き込み、購買行動促進装置１００に返信し、購買行動促進装置１００のページデータ受信部がそれを受信する。そして、購買行動促進装置１００は、決済実行部によって、銀行振り込みの実行あるいは代引きによる商品配送の手配等、決済のための処理を行うことにより、料金の支払いが完了する。
【００８３】
（変形例５）
上記実施形態においては、携帯端末装置１０のユーザが地図を表示することを契機として、現在位置あるいは位置指定情報によって指定される位置の周辺に対応付けられている所定の投稿情報（特定の関係にあるユーザの投稿情報）の存在をユーザに提示するものとして説明した。
これに対し、地図を表示しない場合であっても、携帯端末装置１０の現在位置を定期的に検出して購買行動促進装置１００に送信することで、購買行動促進装置１００から所定の投稿情報を適宜送信し、携帯端末装置１０の現在位置の周辺に対応付けられた所定の投稿情報の存在を、振動や音で報知することができる。
これにより、ユーザは、携帯端末装置１０を持ち歩くだけで、地図を表示しなくても、ユーザと特定の関係にある他者の投稿情報の存在を容易に知ることができる。
【００８４】
（変形例６）
上記実施形態において、購買行動促進システム１は、複数の携帯端末装置１０を含むものとして説明したが、携帯端末装置１０に加えて、携帯されない端末装置（例えば、自宅に設置されたデスクトップＰＣ等）を含むこととしてもよい。
このような構成とした場合、例えば、端末装置の投稿情報送信要求部から投稿情報の送信要求に、位置情報を含めることなく、ユーザＩＤを含めて送信する。購買行動促進装置１００は、ユーザ関係情報取得部によって、ユーザ関係情報データベースを参照し、受信したユーザＩＤのユーザと特定の関係を有する他のユーザを検出する。そして、購買行動促進装置１００は、投稿情報抽出部によって、投稿情報データベースを参照し、ユーザ関係情報取得部によって検出された他のユーザが投稿した投稿情報を抽出する。この投稿情報は、投稿情報のコンテンツ（画像あるいは動画像、コメントあるいはチェックインに関する情報等）のデータを含み、投稿情報には、投稿情報を投稿したユーザのユーザＩＤと、投稿情報に対応する位置情報とが対応付けられている。さらに、投稿情報取得部は、投稿情報抽出部によって抽出された投稿情報のコンテンツのデータを、対応付けられているユーザＩＤ及び位置情報とともに、投稿情報提供データ送信制御部に出力する。すると、購買行動促進装置１００は、投稿情報提供データ送信制御部によって、投稿情報取得部から入力された投稿情報のコンテンツのデータを、その投稿情報に対応付けられているユーザＩＤ及び位置情報とともに、投稿情報の送信要求を行ったユーザと特定の関係を有する他のユーザの投稿情報の一覧データ（投稿情報提供データ）として端末装置に送信する。
端末装置は、投稿情報提供データを購買行動促進装置１００から受信すると、投稿情報受信制御部によって、投稿情報提供データに含まれているコンテンツのデータ（画像あるいは動画像等）のデータと、コンテンツの投稿者である他のユーザのユーザＩＤと、投稿情報に対応する位置情報とをそれぞれ抽出する。
そして、端末装置は、投稿情報表示制御部によって、投稿情報の送信要求を行ったユーザと特定の関係を有する他のユーザの投稿情報の一覧を表示する。
この後、ユーザによって投稿情報が選択されると、その投稿情報と対応付けられている位置情報が端末装置から購買行動促進装置１００に送信され、購買行動促進装置１００は、ＵＲＬ送信部によって、その位置情報に対応する店舗に関連するＵＲＬ（オンラインストアのＵＲＬあるいはその店舗のブランドが設置している公式ウェブサイトのＵＲＬ等）を端末装置に送信する。
これにより、携帯されない端末装置において、ユーザと特定の関係を有する他のユーザによって提供された投稿情報がユーザに提示され、ユーザが投稿情報を選択すると、その投稿情報の位置情報に対応する店舗に関連するＵＲＬが端末装置に送信される。
したがって、ユーザに提示された投稿情報のうち、ユーザが興味を抱いた投稿情報の位置情報に対応付けられた店舗に関連する情報が提示されるため、ユーザの購買行動を促進するためのより高い動機を与えることが可能となる。
【００８５】
（変形例７）
上記実施形態においては、ユーザと特定の関係を有する他のユーザに対して、投稿情報が提示されるものとして説明した。
これに対し、ユーザが投稿した投稿情報を、明示的に投稿情報を共有する設定を行った特定の関係を有するユーザのみに提示することとしてもよい。
例えば、特定の関係を有するユーザのうち、ユーザＩＤを指定することにより、個別のユーザ毎に投稿情報を共有したり、同一の関係（例えば「家族」等）が設定されているユーザのグループ毎に投稿情報を共有したりすることができる。
これにより、投稿情報の共有をユーザの要求に応じて柔軟に設定することができ、提示される投稿情報をユーザにとってより適切なものとすることができる。
【００８６】
上述した一連の処理は、ハードウェアにより実行させることもできるし、ソフトウェアにより実行させることもできる。
換言すると、図３及び図６の機能的構成は例示に過ぎず、特に限定されない。即ち、上述した一連の処理を全体として実行できる機能が携帯端末装置１０及び購買行動促進装置１００に備えられていれば足り、この機能を実現するためにどのような機能ブロックを用いるのかは特に図３及び図６の例に限定されない。
また、１つの機能ブロックは、ハードウェア単体で構成してもよいし、ソフトウェア単体で構成してもよいし、それらの組み合わせで構成してもよい。
【００８７】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００８８】
このようなプログラムを含む記録媒体は、ユーザにプログラムを提供するために装置本体とは別に配布される図１及び図５のリムーバブルメディア３１，１３１により構成されるだけでなく、装置本体に予め組み込まれた状態でユーザに提供される記録媒体等で構成される。リムーバブルメディア３１，１３１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や図５のＲＯＭ１１２、図１の記憶部２０や図５の記憶部１１８に含まれるハードディスク等で構成される。
【００８９】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
また、本明細書において、システムの用語は、複数の装置や複数の手段等より構成される全体的な装置を意味するものとする。
【００９０】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【符号の説明】
【００９１】
１  購買行動促進システム、１０  携帯端末装置、１１，１１１  ＣＰＵ、１２，１１２  ＲＯＭ、１３，１１３  ＲＡＭ、１４，１１４  バス、１５，１１５  入出力インターフェース、１６  位置センサ、１７  撮像部、１８，１１６  入力部、１９，１１７  出力部、２０，１１８  記憶部、２１，１１９  通信部、２２，１２０  ドライブ、３１，１３１  リムーバブルメディア、５１  投稿情報取得部、５２  投稿情報送信制御部、５３  投稿情報送信要求部、５４  投稿情報受信制御部、５５  地図表示制御部、９１  取得画像記憶部、１００  購買行動促進装置、１５１  投稿情報受付部、１５２  投稿情報送信要求受付部、１５３  投稿情報取得部、１５４  投稿情報提供データ送信制御部、１９１  投稿情報データベース、１９２  ユーザ関係情報データベース、１９３  地図情報データベース
【図１】
2014142837.tif 000003
【図２】
2014142837.tif 000004
【図３】
2014142837.tif 000005
【図４】
2014142837.tif 000006
【図５】
2014142837.tif 000007
【図６】
2014142837.tif 000008
【図７】
2014142837.tif 000009
【図８】
2014142837.tif 000010
【図９】
2014142837.tif 000011
【図１０】
2014142837.tif 000012
【図１１】
2014142837.tif 000013
【図１２】
2014142837.tif 000014